(57)【要約】【課題】  外周曲面状のルーバーを手動で容易に回転させることができるドア用換気装置を提供することにある。【解決手段】  ドアに形成された換気口１０の開閉を行なうドア用換気装置であって、換気口１０が形成されるとともに、その内部に略円筒形の回動空間Sを有する枠体４と、断面が略円弧状の一対の帯状板材２，３が、回動空間Ｓに沿うような向きで、一定の間隔をおいて相対向するように連結部材９にて結合されて、枠体４に、回動空間Ｓを回動自在に収納されて、換気口１０の開閉を行なうルーバー１とを有し、帯状板材２，３の略円弧状の外周面には、爪を掛けて回動させるための凹溝２ａ〜２ｃ、３ａ〜３ｃが形成されてなる。【選択図】  図１
2005336809.tif 000002
【特許請求の範囲】
【請求項１】
ドアに形成された換気口の開閉を行なうドア用換気装置であって、
換気口が形成されるとともに、その内部に略円筒形の回動空間を有する枠体と、
断面が略円弧状の一対の帯状板材が、前記回動空間に沿うような向きで、一定の間隔をおいて相対向するように連結部材にて結合されて、前記枠体に、前記回動空間を回動自在に収納されて、前記換気口の開閉を行なうルーバーとを有し、
前記帯状板材の略円弧状の外周面には、爪を掛けて回動させるための凹溝が形成されてなることを特徴とするドア用換気装置。
【請求項２】
前記枠体の回動空間内には、前記凹溝を着脱自在に係合して前記ルーバーの回動を停止させる突起部が形成されていることを特徴とする請求項１に記載のドア用換気装置。
【請求項３】
前記ルーバーには、換気口を通過する空気の流れを整えるための整流板を具備してなることを特徴とする請求項１もしくは請求項２のいずれかに記載のドア用換気装置。
【発明の詳細な説明】
【技術分野】
【０００１】
本発明は、ドア用換気装置に関するものであり、より詳細には、ルーバーを回転させることによりドアに形成された換気口の開閉を行なうドア用換気装置に関するものである。
【背景技術】
【０００２】
従来のドア用換気装置としては、図６（ａ）、（ｂ）に示すような、ドアに形成した換気口２０に内側に突出するフランジ２１を設け、このフランジ２１に縁部が重なって換気口２０を閉じるルーバー２２を略水平状態で回動可能に設け、このルーバー２２をフランジ２１に重なった閉じ位置とフランジ２１から離れた開き位置とで保持する開閉状態維持機構を設けたものが知られている。このドア用換気装置は、ルーバー２２を支軸２３周りで回動自在とし、斜め姿勢で両側のフランジ２１にルーバー２２を係合させることにより換気口２０を閉じるようにしたものである。このものにあっては、換気口２０からの風の吹き込みや冷気の侵入を防止するすることができるとともに、ルーバー２２は開閉状態維持機構により閉じ位置および開き位置で保持されるので、不用意に開閉されることがない（特許文献１）。
【０００３】
ところで、ルーバー２２の支軸２３に垂直な断面が、上述のように略十字型である場合には、換気口２０に指を突っ込んで略十字型の一片を指で引っ掛けることで、ルーバー２２を容易に回転させて、手動で換気口２０の開閉を行なうことができるが、ルーバーの外周面が曲面である場合には、指の引っ掛かりが悪い為に、手動での換気口２０の開閉操作が煩雑なものとなるという問題点を有していた。
【特許文献１】特開平０１−２８７３８８号公報
【発明の開示】
【発明が解決しようとする課題】
【０００４】
本発明は、このような点に鑑みてなされたものであり、その目的とするところは、外周円弧状のルーバーを手動で容易に回転させることができるドア用換気装置を提供することである。
【課題を解決するための手段】
【０００５】
上記した課題を解決するために、本発明の請求項１に係るドア用換気装置は、ドアに形成された換気口の開閉を行なうドア用換気装置であって、換気口が形成されるとともに、その内部に略円筒形の回動空間を有する枠体と、断面が略円弧状の一対の帯状板材が、前記回動空間に沿うような向きで、一定の間隔をおいて相対向するように連結部材にて結合されて、前記枠体に、前記回動空間を回動自在に収納されて、前記換気口の開閉を行なうルーバーとを有し、前記帯状板材の略円弧状の外周面には、爪を掛けて回動させるための凹溝が形成されてなることを特徴とする。
【０００６】
本発明の請求項２に係るドア用換気装置は、前記枠体の回動空間内には、前記凹溝を着脱自在に係合して前記ルーバーの回動を停止させる突起部が形成されていることを特徴とする。
【０００７】
本発明の請求項３に係るドア用換気装置は、前記ルーバーには、換気口を通過する空気の流れを整えるための整流板を具備してなることを特徴とする。
【発明の効果】
【０００８】
本発明の請求項１に係るドア用換気装置によると、換気口が形成されるとともに、その内部に略円筒形の回動空間を有する枠体と、断面が略円弧状の一対の帯状板材が、前記回動空間に沿うような向きで、一定の間隔をおいて相対向するように連結部材にて結合されて、前記枠体に、前記回動空間を回動自在に収納されて、前記換気口の開閉を行なうルーバーとを有し、前記帯状板材の略円弧状の外周面には、爪を掛けて回動させるための凹溝が形成されてなるので、換気口に指を突っ込んで凹溝に爪を引っ掛けてルーバーを回動させることができる。そのため、手動で容易に換気口の開閉をおこなうことが可能となる。
【０００９】
本発明の請求項２に係るドア用換気装置によると、請求項２に記載の効果に加えて、前記枠体の回動空間内には、前記凹溝を着脱自在に係合して前記ルーバーの回動を停止させる突起部が形成されているので、ルーバーを回転させて前記凹溝を突起部に係合させることにより、容易に位置決めができ、またルーバーを回転させて段階的に突起部に係合させることにより、回転量の調整を容易におこなうことができる。そのため、換気装置としての通気量の調整が容易に行なうことができる。
【００１０】
本発明の請求項３に係るドア用換気装置によると、請求項２もしくは請求項３のいずれかに記載の効果に加えて、前記ルーバーには、換気口を通過する空気の流れを整えるための整流板を具備してなるので、整流板により換気口を通過する空気の流れが整えられて、換気効率が良好となる。
【発明を実施するための最良の形態】
【００１１】
本発明の実施形態を図１乃至図３に基づいて説明する。図１乃至図３において、１はルーバー、２、３は帯状板材、２ａ〜２ｃ、３ａ〜３ｃは凹溝、４は枠体、４ａ〜４ｃは突起部、５、６は半枠体、５ａ、６ａは半枠体５，６の開口、５ｂ、６ｂは平板部、５ｃ、６ｃは鍔部、７は整流板、８は回転軸、９は連結部材、１０は換気口、１５はドア、１５ａはドア１５の開口、１６は係止具、Ｆは指、Ｓは回動空間である。
【００１２】
図１は、本実施形態におけるドア用換気装置の概略を示す斜視図であり、また、図２は、ルーバー１の回動による換気口１０の開閉状態の変化を示す断面図であり、（ａ）は閉状態、（ｂ）は半開状態、（ｃ）は開状態である。図1及び図２に示すように、本実施形態におけるドア用換気装置は、換気口１０が形成されるとともに、内部に略円筒形の回動空間Ｓを有する枠体４と、枠体４に、前記回動空間Ｓを回動自在に収納されるルーバー１とから構成される。
【００１３】
ルーバー１は、略円弧状の一対の帯状板材２、３と、帯状板材２、３間を連結する連結部材９と、帯状板材２、３の略中間地点に設置される整流板７とから構成される。
【００１４】
帯状板材２、３は、各々が半円よりも短い略円弧断面を有するものであり、双方の外周の曲率が略同一に形成されている。ルーバー１においては、この帯状板材２、３は、断面の略円弧同士が同一円周上に乗るように相対向するように形成される。このようにすることで、一対の帯状板材２、３間は一定の間隔をおいて相対向する。
【００１５】
連結部材９は、一対の帯状板材２、３の両端部間を連結するものであって、帯状板材２、３の略円弧状端面の中央部同士を連結することにより、帯状板材２、3を一定の間隔をおいて相対向させている。連結部材９の長手方向中央部からは、回転軸８が外方に突設されている。
【００１６】
また、一対の帯状板材２、３間の略中間地点には、換気口１０を通過する空気の流れを整えるための整流板７が形成され、この整流板７は、平板状部材からなるものであって、両端部が連結部材９に結合されて、帯状板材２、３と一体に回動するよう形成される。このような整流板７を具備することにより、換気口１０を通過する空気の流れが整えられて、換気効率が良好となる。
【００１７】
枠体４は、正面視略矩形の換気口１０と、換気口１０の内部に形成される略円筒形の回動空間Ｓとを有するものであって、２つの半枠体５、６が組み合わされることにより形成される。この半枠体５、６は、中央部に略矩形の開口５ａ、６ａが形成された略矩形の平板部５ｂ、６ｂと、この開口５ａ、６ａの四周から立設される鍔部５ｃ、６ｃとからなり、半枠体５、６の鍔部５ｃ、６ｃの開口端同士を接合して枠体４が形成される。
【００１８】
鍔部５ｃ、６ｃの開口端のうち、短辺側の中央部で回転軸８が挟まれて、回転軸８が枠体４に固定設置される。
【００１９】
また、半枠体５、６同士が接合されることで、開口５ａから６ａにかけて中空空間が形成され、これがドア２０に嵌合されたときの換気口１０となる。
【００２０】
帯状板材２、３の略円弧状の外周面には、回転軸と略平行な方向に凹溝２ａ〜２ｃ、３ａ〜３ｃがそれぞれ形成されている。この凹溝２ａ〜２ｃ、３ａ〜３ｃは略同一の形状であって、人間の爪が引っ掛かる程度の幅及び深さを有している。
【００２１】
また、図２に示すように、枠体４の回動空間Ｓ内には、回動空間Ｓ内のルーバー１の回転量を変化させて通気量を調整する際に、所定の回転位置でルーバー１を固定するための突起部４ａ〜４ｃが形成されている。この突起部４ａ〜４ｃは、ルーバー１が所定の回転位置に来たときに、凹溝２ａ〜２ｃ、３ａ〜３ｃのいずれかに係合して、ルーバー１をその回転位置に係止させることができる。この突起部４ａ〜４ｃを具備することで、ルーバー１を容易に位置決めすることができ、また、ルーバー１を回転させて段階的に突起部４ａ〜４ｃに係合させることにより、ルーバー１の回転量の調整を容易におこなうことができる。そのため、換気装置としての通気量の調整を容易に行なうことができる。
【００２２】
このドア用換気装置は、図３（ａ）に示すように、ドア１５の下方に形成される開口１５ａに嵌合し、係止具等で固定される。なお、ドア用換気装置の取り付け位置は、この部位に限定されるものではなく、図３（ｂ）に示すような下端部に設置することもできる。この場合は、図4に示すように、下方から、ドア１５の開口１５ａに枠体４を嵌め込んで、係止具等により設置固定する。
【００２３】
以上のように形成されたドア用換気装置の操作について、図２に基づいて説明する。同図（ａ）に示すように、ルーバー１は、帯状板材２、３が換気口１０を塞ぐような位置にある閉状態となっている。この状態では、換気口１０の開口から帯状板材２、３や帯状板材２、３の外周面に形成された凹溝２ａ〜２ｃ、３ａ〜３ｃが見ることのできる状態にある。
【００２４】
この状態で、人差し指等の指Ｆを凹溝２ａに引っ掛けて下方に折り曲げることにより、ルーバー１を回転させる。このとき、ルーバー１の回転量を調整することにより、同図（ｂ）に示すように、閉状態から約１／４回転した半回転状態や、同図（ｃ）に示すように、閉状態から約半回転した開状態へ切り換えて、換気口１０に流れる空気の量を調整することが可能となる。
【００２５】
以上説明したように、本実施形態に係るドア用換気装置によると、断面が略円弧状の帯状板材２，３が一定の間隔をおいて相対向するように連結部材９にて結合されて、枠体４に、回動空間Ｓを回動自在に収納されるルーバー１には、略円弧状の外周面に爪を掛けて回転させるための凹溝２ａ〜２ｃ、３ａ〜３ｃが、回動中心と略平行な方向に形成されてなるので、換気口１０に指を突っ込んで凹溝２ａ〜２ｃ、３ａ〜３ｃに爪を引っ掛けてルーバー１を回動させることができる。そのため、手動で容易に換気口の開閉をおこなうことが可能となる。
【００２６】
なお、本実施形態においては、ルーバー１は、枠体４に軸支されるものであった、これに限定されるものではなく、たとえば、図５に示すように、回転軸を有さないルーバー１が、枠体４の中空空間Ｓに単に収納されている構成であっても上記と同様の効果を奏することができる。この場合は、ルーバー１が収納空間Ｓに緩やかに勘合するように収納されることがより好ましい。
【００２７】
また、本実施形態においては、凹溝が3箇所形成されていたが、これに限定されるものではなく、さらに多くの凹溝が形成されていてもよく、また、1箇所のみに形成されるものであってもよい。
【図面の簡単な説明】
【００２８】
【図１】本実施形態におけるドア用換気装置の概略を示す分解斜視図である。
【図２】ルーバーの回動による換気口の開閉状態の変化を示す断面図であり、（ａ）は閉状態、（ｂ）は半開状態、（ｃ）は開状態である。
【図３】本実施形態におけるドア用換気装置が設置されたドアの概略を示す正面図であり、（a）はドアの下方に形成される場合、（ｂ）はドアの下端に形成される場合である。
【図４】本実施形態におけるドア用換気装置をドアの下端に取り付ける場合の概略を示す分解斜視図である。
【図５】本実施形態におけるドア用換気装置の概略を示す分解斜視図である。
【図６】従来例を示す断面図であり、（ａ）は開状態、（ｂ）は閉状態である。。
【符号の説明】
【００２９】
１    ルーバー
２、３  帯状板材
２ａ〜２ｃ、３ａ〜３ｃ  凹溝
４    枠体
９    連結部材
１０  換気口
S      回動空間
【図１】
2005336809.tif 000003
【図２】
2005336809.tif 000004
【図３】
2005336809.tif 000005
【図４】
2005336809.tif 000006
【図５】
2005336809.tif 000007
【図６】
2005336809.tif 000008